(57)【特許請求の範囲】
【請求項１】
シート体が収容される複数のサイズの異なる容器を選択し、該選択された容器を、該容器の挿入方向で一方の側部側にのみ容器挿入基準位置を設けた複数の装填部のそれぞれに対し、前記容器挿入基準位置に沿って着脱自在に装填するとともに、前記サイズの異なる各容器の他方の側部側に対応して前記複数の装填部のそれぞれに複数設けられ、前記装填される前記容器を支持する支持部材に固定されたロック解除手段により、前記容器の開口部を開閉する蓋体のロックを解除する際、前記容器が誤挿入されることを防止するための容器の誤挿入防止構造であって、
前記装填部の容器先端部位置決め位置よりも挿入方向上流側に配置され、前記容器先端部に当接して前記容器の進入を阻止するストッパ手段と、
前記装填部の前記容器挿入基準位置側に設けられ、前記容器が前記容器挿入基準位置に沿って進入する際にのみ該容器に当接し、前記ストッパ手段を前記容器の進入軌跡外に退避させる解除手段と、
を備えることを特徴とする容器の誤挿入防止構造。
【請求項２】
請求項１記載の誤挿入防止構造において、前記ストッパ手段は、揺動部材と、
前記揺動部材の揺動先端側に設けられ、前記容器の進入軌跡上に配置されて前記容器先端部に当接可能な係止爪部と、
を備え、
前記解除手段は、前記揺動部材に固定され、前記容器が前記容器挿入基準位置に沿って進入する際に前記揺動部材と一体的に揺動し、前記係止爪部を前記容器の進入軌跡外に退避させるカム部材を備えることを特徴とする容器の誤挿入防止構造。
【請求項３】
シート体が収容される複数のサイズの異なる容器を選択し、該選択された容器を、該容器の挿入方向で一方の側部側にのみ容器挿入基準位置を設けた複数の装填部のそれぞれに対し、前記容器挿入基準位置に沿って着脱自在に装填するとともに、前記サイズの異なる各容器の他方の側部側に対応して前記複数の装填部のそれぞれに複数設けられ、前記装填される前記容器を支持する支持部材に固定されたロック解除手段により、前記容器の開口部を開閉する蓋体のロックを解除する際、前記容器が誤挿入されることを防止するための容器の誤挿入防止構造を備えた容器処理装置であって、
前記装填部に装填された前記容器内から、前記ロック解除手段により前記蓋体のロックが解除されることで開放された前記開口部を介して前記シート体を取り出す枚葉部を備えるとともに、
前記誤挿入防止構造は、前記装填部の容器先端部位置決め位置よりも挿入方向上流側に配置され、前記容器先端部に当接して前記容器が前記枚葉部側に進入することを阻止するストッパ手段と、
前記装填部の容器挿入基準位置側に設けられ、前記容器が前記容器挿入基準位置に沿って進入する際にのみ該容器に当接し、前記ストッパ手段を前記容器の進入軌跡外に退避させる解除手段と、
を備えることを特徴とする容器処理装置。
【請求項４】
請求項３記載の容器処理装置において、前記ストッパ手段は、揺動部材と、
前記揺動部材の揺動先端側に設けられ、前記容器の進入軌跡上に配置されて前記容器先端部に当接可能な係止爪部と、
を備え、
前記解除手段は、前記揺動部材に固定され、前記容器が前記容器挿入基準位置に沿って進入する際に前記揺動部材と一体的に揺動し、前記係止爪部を前記容器の進入軌跡外に退避させるカム部材を備えることを特徴とする容器処理装置。
【請求項５】
シート体が収容される複数のサイズの異なる容器を選択し、該選択された容器を、該容器の挿入方向で一方の側部側にのみ容器挿入基準位置を設けた複数の装填部のそれぞれに対し、前記容器挿入基準位置に沿って着脱自在に装填するとともに、前記サイズの異なる各容器の他方の側部側に対応して前記複数の装填部のそれぞれに複数設けられ、前記装填される前記容器を支持する支持部材に固定されたロック解除手段により、前記容器の開口部を開閉する蓋体のロックを解除する際、前記容器が誤挿入されることを防止するための容器の誤挿入防止構造であって、
前記装填部の容器先端部位置決め位置よりも挿入方向上流側に配置され、前記容器先端部に当接して前記容器の進入を阻止するストッパ手段と、
前記ストッパ手段よりも挿入方向上流側に配置され、前記容器が前記容器挿入基準位置に沿って進入する際にのみ該容器に当接し、前記ストッパ手段を前記容器の進入軌跡外に退避させる解除手段と、
を備えることを特徴とする容器の誤挿入防止構造。
【請求項６】
シート体が収容される複数のサイズの異なる容器を選択し、該選択された容器を、該容器の挿入方向で一方の側部側にのみ容器挿入基準位置を設けた複数の装填部のそれぞれに対し、前記容器挿入基準位置に沿って着脱自在に装填するとともに、前記サイズの異なる各容器の他方の側部側に対応して前記複数の装填部のそれぞれに複数設けられ、前記装填される前記容器を支持する支持部材に固定されたロック解除手段により、前記容器の開口部を開閉する蓋体のロックを解除する際、前記容器が誤挿入されることを防止するための容器の誤挿入防止構造を備えた容器処理装置であって、
前記装填部に装填された前記容器内から、前記ロック解除手段により前記蓋体のロックが解除されることで開放された前記開口部を介して前記シート体を取り出す枚葉部を備えるとともに、
前記誤挿入防止構造は、前記装填部の容器先端部位置決め位置よりも挿入方向上流側に配置され、前記容器先端部に当接して前記容器が前記枚葉部側に進入することを阻止するストッパ手段と、
前記ストッパ手段よりも挿入方向上流側に配置され、前記容器が前記容器挿入基準位置に沿って進入する際にのみ該容器に当接し、前記ストッパ手段を前記容器の進入軌跡外に退避させる解除手段と、
を備えることを特徴とする容器処理装置。
【発明の詳細な説明】
【０００１】
【発明の属する技術分野】
本発明は、シート体が収容される容器を装填部に着脱自在に装填する際、前記容器が誤挿入されることを防止するための容器の誤挿入防止構造および容器処理装置に関する。
【０００２】
【従来の技術】
例えば、蓄積性蛍光体（輝尽性蛍光体）を利用して、人体等の被写体の放射線画像情報を一旦記録し、この放射線画像情報を写真フイルム等の写真感光材料等に再生し、あるいはＣＲＴ等に可視像として出力させるシステムが知られている。
【０００３】
蓄積性蛍光体は、放射線（Ｘ線、α線、γ線、電子線、紫外線等）の照射によりこの放射線エネルギの一部を蓄積し、後に可視光等の励起光の照射によって、蓄積されたエネルギに応じて輝尽発光を示す蛍光体をいう。この蓄積性蛍光体は、通常、シート状に構成されており、蓄積性蛍光体シートとして使用されている。
【０００４】
上記システムでは、例えば、蓄積性蛍光体シートに記録された画像情報の読み取りを行う読み取り部と、読み取り後に前記蓄積性蛍光体シートに残存する画像情報を消去する消去部とを備えた画像情報読取装置が採用されている。この画像情報読取装置では、外部の撮影装置により被写体の放射線画像情報が記録された蓄積性蛍光体シートを収容するカセッテが装填部に挿入される。
【０００５】
次いで、カセッテが開蓋された状態で、シート体枚葉手段（枚葉部）の作用下に前記カセッテから蓄積性蛍光体シートが取り出され、この蓄積性蛍光体シートがシート体搬送手段を介して読み取り部に搬送される。読み取り部で放射線画像情報の読み取り処理が施された蓄積性蛍光体シートは、消去部で残像の消去が行われた後、装填部に配置されているカセッテ内に収容される。
【０００６】
一方、上記のシステムでは、写真フイルム等の写真感光材料に放射線画像情報を再生する画像情報再生装置が用いられている。この画像情報再生装置では、複数枚の写真感光材料が収容されたマガジンが装填部に装填された後、このマガジンからシート体枚葉手段（枚葉部）の作用下に前記写真感光材料が１枚ずつ取り出されて記録部に移送される。記録部では、蓄積性蛍光体シートから得られた放射線画像情報がレーザ光等の照射によって露光記録される。
【０００７】
【発明が解決しようとする課題】
ところで、上記の装填部では、ユーザが手動によりカセッテやマガジン（以下、容器という）を前記装填部に装填する操作を行っている。この場合、装填部には、種々の寸法の異なる容器を装填するために容器の一方の側部側に対応して挿入基準位置が設けられており、ユーザは、各容器を前記挿入基準位置に沿って装填部に装填している。
【０００８】
しかしながら、ユーザが挿入基準位置を誤認したり、容器を斜め姿勢で挿入してしまうおそれがあり、前記容器を装填部に対して正しい状態で装填できない場合がある。これにより、容器が装填部の所望の装填位置を乗り越えて装置内部に挿入されてしまい、前記容器が内部機構と干渉し、例えば、シート体の枚葉不良やシート体枚葉手段の破損が発生するという問題点が指摘されている。
【０００９】
本発明はこの種の問題を解決するものであり、容器が装填部に誤挿入されることを、簡単な構成で確実に阻止することが可能な容器の誤挿入防止構造を提供することを目的とする。
【００１０】
また、本発明は、容器が装填部に誤挿入されて前記容器が内部機構と干渉することを、簡単な構成で確実に阻止することが可能な容器処理装置を提供することを目的とする。
【００１１】
【課題を解決するための手段】
本発明に係る容器の誤挿入防止構造は、シート体が収容される複数のサイズの異なる容器を選択し、該選択された容器を、該容器の挿入方向で一方の側部側にのみ容器挿入基準位置を設けた複数の装填部のそれぞれに対し、前記容器挿入基準位置に沿って着脱自在に装填するとともに、前記サイズの異なる各容器の他方の側部側に対応して前記複数の装填部のそれぞれに複数設けられ、前記装填される前記容器を支持する支持部材に固定されたロック解除手段により、前記容器の開口部を開閉する蓋体のロックを解除する際、前記容器が誤挿入されることを防止するための容器の誤挿入防止構造であって、前記装填部の容器先端部位置決め位置よりも挿入方向上流側に配置され、前記容器先端部に当接して前記容器の進入を阻止するストッパ手段と、前記装填部の前記容器挿入基準位置側に設けられ、前記容器が前記容器挿入基準位置に沿って進入する際にのみ該容器に当接し、前記ストッパ手段を前記容器の進入軌跡外に退避させる解除手段とを備えることを特徴とする。また、本発明に係る容器の誤挿入防止構造は、シート体が収容される複数のサイズの異なる容器を選択し、該選択された容器を、該容器の挿入方向で一方の側部側にのみ容器挿入基準位置を設けた複数の装填部のそれぞれに対し、前記容器挿入基準位置に沿って着脱自在に装填するとともに、前記サイズの異なる各容器の他方の側部側に対応して前記複数の装填部のそれぞれに複数設けられ、前記装填される前記容器を支持する支持部材に固定されたロック解除手段により、前記容器の開口部を開閉する蓋体のロックを解除する際、前記容器が誤挿入されることを防止するための容器の誤挿入防止構造であって、前記装填部の容器先端部位置決め位置よりも挿入方向上流側に配置され、前記容器先端部に当接して前記容器の進入を阻止するストッパ手段と、前記ストッパ手段よりも挿入方向上流側に配置され、前記容器が前記容器挿入基準位置に沿って進入する際にのみ該容器に当接し、前記ストッパ手段を前記容器の進入軌跡外に退避させる解除手段とを備えることを特徴とする。
【００１２】
そして、容器が容器挿入基準位置に沿って進入する際には、この容器が解除手段に係合し、ストッパ手段が退避して前記容器が装填部に対し正常な位置にセットされる。一方、容器が容器挿入基準位置からずれて、あるいは、傾斜した姿勢で装填部に挿入されると、前記容器が解除手段に係合することができない。このため、ストッパ手段を容器の進入軌跡上に配置することにより、前記容器は前記ストッパ手段に当接して前記装填部への進入が阻止される。これにより、簡単な構成で、容器の誤挿入を確実に阻止することができる。
【００１３】
ここで、ストッパ手段は、揺動部材とこの揺動部材の揺動先端側に設けられる係止爪部とを備える一方、解除機構は、容器が容器挿入基準位置に沿って進入する際に前記揺動部材と一体的に揺動し、前記係止爪部を前記容器の進入軌跡外に退避させるカム部材を備えている。従って、構成の簡素化を図るとともに、容器の挿入動作によってストッパ手段を確実に揺動させることが可能になる。
【００１４】
また、本発明に係る容器処理装置では、容器の誤挿入防止構造が設けられており、容器が容器挿入基準位置側に沿って進入しない場合に、この容器の先端部がストッパ手段に当接して前記容器が枚葉部側に進入することを阻止している。従って、容器が装填部のセット位置を乗り越えて枚葉部側に進入することがないため、シート体の枚葉不良や前記枚葉部の損傷等が発生することを確実に阻止することができる。
【００１５】
【発明の実施の形態】
図１は、本発明の第１の実施形態に係る容器の誤挿入防止構造１０を組み込む画像情報読取装置（容器処理装置）１２の概略構成説明図である。
【００１６】
画像情報読取装置１２を構成する装置本体１２ａの前面（操作面）上部には、操作部およびモニタの機能を有するタッチパネル１４が設けられ、このタッチパネル１４の下方には、複数、例えば、４つのカセッテ（容器）１８を着脱自在なカセッテ装填部２０ａ〜２０ｄが設けられる。
【００１７】
図１に示すように、カセッテ１８は、蓄積性蛍光体シート２２を収容する筐体２４と、この筐体２４の開口部２６を開閉自在な蓋体２８とを有している。カセッテ１８には、筐体２４に対して蓋体２８を閉蓋状態で固定するロック手段（図示せず）が設けられる。
【００１８】
カセッテ装填部２０ａ〜２０ｄには、カセッテ１８を載置するための支持台３０が設けられるとともに、画像情報読取装置１２の装置本体１２ａの内部を遮光するためのシャッター部材３２が開閉自在に配置される。カセッテ装填部２０ａ〜２０ｄには、各種の寸法の異なるカセッテ１８に対応してロック解除を行うカセッテロック解除機構３４が組み込まれている。蓄積性蛍光体シート２２は、メトリック用、インチ用、マンモ用（２４ｃｍ×３０ｃｍ）等の多種類の異なるサイズを有しており、これら種々の蓄積性蛍光体シート２２を収容するためのカセッテ１８は、それぞれ異なる寸法に設定されている。図２に示すように、カセッテロック解除機構３４は、カセッテ挿入基準位置３６側に設けられている基準ロック解除ピン３８と、それぞれ寸法の異なるカセッテ１８に対応して配置される複数のロック解除ピン４０とを備える。
【００１９】
図２および図３に示すように、支持台３０には、カセッテ１８をカセッテ装填部２０ａ〜２０ｄに着脱自在に装填する際、前記カセッテ１８が誤挿入されることを防止するための誤挿入防止構造１０が設けられる。誤挿入防止構造１０には、支持台３０のカセッテ先端部位置決め位置に設けられた位置決め部４４よりも挿入方向（矢印Ｅ方向）上流側に配置され、カセッテ１８の先端部に当接して前記カセッテ１８の進入を阻止可能なストッパ手段４６と、前記支持台３０のカセッテ挿入基準位置３６側に設けられ、前記カセッテ１８が前記カセッテ挿入基準位置３６に沿って進入する際にのみ該カセッテ１８に係合し、前記ストッパ手段４６を前記カセッテ１８の進入軌跡外に退避可能な解除手段４８とを備える。
【００２０】
ストッパ手段４６は、支持台３０の裏面側に軸５０を介して揺動自在な揺動部材５２を備え、この揺動部材５２の揺動先端側には鉛直方向上方に屈曲する複数の、例えば、３つの係止爪部５４ａ〜５４ｃが一体的に形成されるとともに、前記係止爪部５４ａ〜５４ｃは、支持台３０に形成された開口部５６ａ〜５６ｃを介してカセッテ１８の進入軌跡上に進退自在である。揺動部材５２の下面側と固定板５７とにばね５８が介装されており、このばね５８の弾性力を介して前記揺動部材５２が支持台３０側に、常時、付勢されており、係止爪部５４ａ〜５４ｃが開口部５６ａ〜５６ｃを通ってカセッテ１８の挿入軌跡上に配置されている。
【００２１】
解除手段４８は、揺動部材５２に連結板６０を介して支持されるカム部材６２を備える。このカム部材６２は、少なくともその上部側に円弧面６４を設けるとともに、支持台３０に形成された開口部６５を介してこの支持台３０の裏面側からカセッテ１８の進入軌跡上に進入可能である。
【００２２】
カセッテ装填部２０ａ〜２０ｄの内部には、前記カセッテ装填部２０ａ〜２０ｄの任意の１つに対応して配置し、任意のカセッテ１８から蓄積性蛍光体シート２２を取り出す一方、後述する読み取り消去後の前記蓄積性蛍光体シート２２を前記カセッテ１８内に戻す昇降枚葉部６６が装着される。図４に示すように、昇降枚葉部６６は、シート体枚葉機構６８と、このシート体枚葉機構６８を上下方向（矢印Ｄ方向）に進退自在な昇降機構７０とを備える。
【００２３】
昇降機構７０は、固定フレーム７２を有し、この固定フレーム７２には鉛直方向に延在して一組のラック７４ａ、７４ｂが固定される。昇降機構７０を構成する昇降フレーム７６にモータ７８が固定されるとともに、このモータ７８がベルト・プーリ手段８０を介して歯車伝動部８２に連結される。この歯車伝動部８２は、回転軸８４に回転力を付与する。回転軸８４の両端にはピニオン８６ａ、８６ｂが固着され、このピニオン８６ａ、８６ｂがラック７４ａ、７４ｂに噛合して昇降フレーム７６を所定の位置に保持している。昇降フレーム７６にはシート体枚葉機構６８が組み込まれている。
【００２４】
シート体枚葉機構６８は、カセッテ装填部２０ａ〜２０ｄで蓋体２８が開放されたカセッテ１８内に進入自在な吸着盤９０ａ、９０ｂと、この吸着盤９０ａ、９０ｂを前記カセッテ１８と搬送手段９２との間で進退させ、該カセッテ１８内の蓄積性蛍光体シート２２を前記搬送手段９２に送り出し可能な移動手段９４とを備える。
【００２５】
昇降フレーム７６は、蓄積性蛍光体シート２２の取り出し方向（矢印Ｅ方向）に交差する矢印Ｆ方向に所定の間隔離間する側板１００ａ、１００ｂを設けている。図４および図５に示すように、側板１００ａには、移動手段９４を構成する第１モータ１０２が固定され、この第１モータ１０２の駆動軸１０２ａに軸着される小径プーリ１０４と、駆動軸１０６の一端に固着された大径プーリ１０８とにベルト１１０が設けられる。
【００２６】
駆動軸１０６は、側板１００ａ、１００ｂにその両端側を回転自在に支持されており、その一端に設けられた大径プーリ１０８にアーム１１２の一端が固着される。アーム１１２の他端にリンク１１４の一端が揺動自在に連結されるとともに、このリンク１１４の他端に第１支軸１１６が設けられる。駆動軸１０６の他端にはアーム１１２の一端が直接固着されており、このアーム１１２の他端に第１支軸１１６を設けたリンク１１４が連結されている。
【００２７】
側板１００ａ、１００ｂには、吸着盤９０ａ、９０ｂを蓄積性蛍光体シート２２の被吸着面（記録面とは反対側の裏面）に対し上方から斜め下方に傾斜する軌跡に沿って移動させるために、ガイド溝１２０、１２２が設けられる。ガイド溝１２０、１２２は、吸着盤９０ａ、９０ｂに所望の軌跡を付与するためにそれぞれの形状が設定されており、可動フレーム１２４の両端には、それぞれ前記ガイド溝１２０、１２２に対応して第１支軸１１６および第２支軸１２６が固着される。
【００２８】
可動フレーム１２４には、カセッテ１８の蓋体２８を強制的に開動させるガイド板１２７と、最小寸法の蓄積性蛍光体シート２２の矢印Ｆ方向の寸法に対応する吸着盤９０ａ、９０ｂとが装着される。ここで、各種寸法の異なる蓄積性蛍光体シート２２は、全て、例えば、側板１００ａに近接する位置を基準にして配置される。搬送手段９２は、複数組のローラ対１２８と、これらローラ対１２８を一体的に駆動する第２モータ１３０とを備える。
【００２９】
図１に示すように、昇降枚葉部６６の下方には、搬送系１３６を介して消去部１３８および読み取り部１４０が配設される。この搬送系１３６は、互いに対をなす複数のローラ対１４２を備えており、このローラ対１４２により構成される鉛直搬送路の下端側に読み取り部１４０が配置される。読み取り部１４０は、カセッテ１８から取り出された蓄積性蛍光体シート２２を副走査方向（矢印Ａ方向）に搬送する副走査搬送機構１４４と、副走査方向に搬送される前記蓄積性蛍光体シート２２に主走査方向（副走査方向と略直交する方向）にレーザ光Ｌを照射する光学系１４６と、このレーザ光Ｌの照射によって蓄積性蛍光体シート２２から生ずる輝尽発光光を光電的に読み取る集光系１４８とを備えている。
【００３０】
副走査搬送機構１４４は、互いに同期して回転駆動される第１および第２ローラ対１５０、１５２を備え、この第１および第２ローラ対１５０、１５２はそれぞれ開閉自在である。集光系１４８は、蓄積性蛍光体シート２２上のレーザ光Ｌの走査位置に主走査線に沿って配置される光ガイド１５４と、この光ガイド１５４の上部に装着されるフォトマルチプライヤ１５６とを備える。
【００３１】
読み取り部１４０の搬送方向前方側には、読み取り処理後の蓄積性蛍光体シート２２を上方に搬送する搬送部１５８が設けられ、この搬送部１５８を介して上方に搬送される前記蓄積性蛍光体シート２２の搬送方向先端側が、一旦、電源部１６０の上方で水平方向に案内される。電源部１６０に近接して消去搬送部１６２が設けられ、この消去搬送部１６２は、上方に搬送された蓄積性蛍光体シート２２を水平方向（図１中、左側から右側方向）に向かって搬送する。消去搬送部１６２の搬送途上には、消去部１３８を構成する複数の消去用光源１６４が水平方向に向かって配置されている。消去搬送部１６２は、消去部１３８を通過した後に上方向に延在して搬送系１３６に連結自在である。
【００３２】
次に、このように構成される画像情報読取装置１２の動作について、第１の実施形態に係る誤挿入防止構造１０との関連で説明する。
【００３３】
先ず、図示しない撮影装置により人体等の被写体の撮影画像情報が蓄積記録された蓄積性蛍光体シート２２を収容するカセッテ１８が、画像情報読取装置１２の、例えば、カセッテ装填部２０ａを構成する支持台３０に沿って装置本体１２ａの内方に導入される。このカセッテ１８は、その先端部でシャター部材３２を押し開いて装置本体１２ａの内部に該先端側が挿入される。
【００３４】
ここで、図６に示すように、カセッテ１８がその位置決め基準面１８ａをカセッテ挿入基準位置３６に沿って矢印Ｅ方向に挿入されると、このカセッテ１８が解除手段４８を構成するカム部材６２に係合し、その円弧面６４を介して前記カム部材６２を支持台３０の下方向に押圧する。このため、図７に示すように、カム部材６２は、開口部６５を通って支持台３０の裏面側に移動し、このカム部材６２に連結板６０を介して固着されている揺動部材５２は、軸５０を支点にしてばね５８の弾性力に抗して下方向に揺動する。
【００３５】
従って、揺動部材５２の先端側に一体的に設けられている係止爪部５４ａ〜５４ｃは、開口部５６ａ〜５６ｃを通って支持台３０の裏面側に退避し、カセッテ１８の挿入動作に干渉することはない。これにより、カセッテ１８は、矢印Ｅ方向に挿入されてその先端部が位置決め部４４に当接支持されることにより、前記カセッテ１８がカセッテ装填部２０ａに対して正しく装填されることになる（図７参照）。
【００３６】
一方、図８に示すように、カセッテ１８が、位置決め基準面１８ａをカセッテ挿入基準位置３６から離間させた状態でカセッテ装填部２０ａに挿入すると、このカセッテ１８は、解除手段４８を構成するカム部材６２から離間した位置で矢印Ｅ方向に進入する。このため、位置決め部４４の手前には、ストッパ手段４６を構成する係止爪部５４ａ〜５４ｃが突出しており、カセッテ１８の先端部は、前記係止爪部５４ａ〜５４ｃに当接する（図９参照）。従って、カセッテ１８は、ストッパ手段４６により進入を阻止されるため、例えば、前記カセッテ１８が正しいセット位置である位置決め部４４を乗り越えて昇降枚葉部６６側に進入してしまうことがない。
【００３７】
これにより、カセッテ１８がシート体枚葉機構６８に当接してこのシート体枚葉機構６８が損傷したり、前記カセッテ１８から蓄積性蛍光体シート２２を取り出すことができない等の不具合が解消され、効率的かつ正確なカセッテ挿入作業が遂行可能になるという効果が得られる。また、図８に示すように、カセッテ１８が傾斜姿勢で挿入されると、このカセッテ１８が係止爪部５４ｃに当接してその進入動作が規制される。その際、シート体枚葉機構６８側には、カセッテ１８との接触を回避するための逃げ６９を設けておくと好適である。
【００３８】
しかも、第１の実施形態では、ストッパ手段４６をカセッテ進入軌跡外に進退させるための解除手段４８が、揺動部材５２に連結板６０を介して固定されるカム部材６２を備えている。そして、カセッテ１８がカセッテ挿入基準位置３６に沿って進入する際にのみ、このカセッテ１８が前記カム部材６２を直接押圧して前記揺動部材５２を強制的に揺動変位させるようにしている。従って、ストッパ手段４６および解除手段４８の構成が一挙に簡素化されるとともに、前記ストッパ手段４６を正確に駆動することができ、カセッテ１８の誤挿入を有効に阻止することが可能になるという利点がある。
【００３９】
ところで、カセッテ装填部２０ａ〜２０ｄにそれぞれカセッテ１８が装填された後、昇降枚葉部６６を構成する昇降機構７０が駆動され、シート体枚葉機構６８が、例えば、カセッテ装填部２０ａに対応して配置される。具体的には、図４に示すように、昇降フレーム７６に装着されたモータ７８の駆動作用下に、ベルト・プーリ手段８０および歯車伝動部８２を介して回転軸８４が所定の方向に回転される。この回転軸８４の両端には、ピニオン８６ａ、８６ｂが固着されており、このピニオン８６ａ、８６ｂがラック７４ａ、７４ｂに噛合した状態で矢印Ｄ方向に移動し、昇降フレーム７６に装着されているシート体枚葉機構６８がカセッテ装填部２０ａに対応して配置される。
【００４０】
次いで、移動手段９４が駆動されて吸着盤９０ａ、９０ｂをカセッテ１８内に移動させる。すなわち、移動手段９４では、第１モータ１０２の駆動作用下に小径プーリ１０４、ベルト１１０を介して大径プーリ１０８が駆動軸１０６と一体的に所定方向に回動する。大径プーリ１０８および駆動軸１０６の他方の端部には、アーム１１２の一端が固着されており、これらのアーム１１２が前記駆動軸１０６を支点にして揺動する。各アーム１１２の他端には、リンク１１４を介して第１支軸１１６が連結されるとともに、この第１支軸１１６および第２支軸１２６が側板１００ａ、１００ｂのガイド溝１２０、１２２に配置されている。
【００４１】
従って、第１および第２支軸１１６、１２６がガイド溝１２０、１２２に沿って移動し、この第１および第２支軸１１６、１２６を設けた可動フレーム１２４は、吸着盤９０ａ、９０ｂをカセッテ１８内の蓄積性蛍光体シート２２の被吸着面に対して上方から斜め下方に傾斜する軌跡に沿って移動させる。
【００４２】
次に、吸着盤９０ａ、９０ｂにより蓄積性蛍光体シート２２の被吸着面が吸引された状態で、移動手段９４を構成する第１モータ１０２が逆方向に駆動される。このため、アーム１１２の揺動作用下に可動フレーム１２４と一体的に吸着盤９０ａ、９０ｂがカセッテ１８内から搬送手段９２側に移動し、このカセッテ１８内の蓄積性蛍光体シート２２は、前記吸着盤９０ａ、９０ｂに吸着されて前記カセッテ１８の開口部２６から取り出される。
【００４３】
そして、蓄積性蛍光体シート２２の先端が搬送手段９２を構成するローラ対１２８に挟持される。その際、ローラ対１２８は、第２モータ１３０の作用下に、予め所定の回転速度で回転しており、蓄積性蛍光体シート２２の先端部が前記ローラ対１２８に挟持されるのと略同時に、吸着盤９０ａ、９０ｂによる前記蓄積性蛍光体シート２２の吸着保持が解除される。これにより、蓄積性蛍光体シート２２は、複数のローラ対１２８から搬送系１３６に受け渡された後、この搬送系１３６を構成する複数のローラ対１４２の作用下に鉛直方向下方に向かって搬送され、先ず、読み取り部１４０に送られる。
【００４４】
図１に示すように、読み取り部１４０では、蓄積性蛍光体シート２２が副走査搬送機構１４４を構成する第１および第２ローラ対１５０、１５２の作用下に矢印Ａ方向に副走査搬送されながら、この蓄積性蛍光体シート２２の記録面側に光学系１４６からレーザ光Ｌが主走査される。これにより、蓄積性蛍光体シート２２に蓄積記録されていた放射線画像情報が、集光系１４８により光電的に読み取られることになる。
【００４５】
読み取り処理後の蓄積性蛍光体シート２２は、搬送部１５８を介して鉛直方向上方に向かって搬送され、その搬送方向先端側が電源部１６０の上方で水平方向に案内され、この蓄積性蛍光体シート２２が前記搬送部１５８から消去搬送部１６２に受け渡される。消去搬送部１６２では、蓄積性蛍光体シート２２が搬送部１５８による搬送方向後端側を先端部として水平方向に搬送され、消去部１３８に設けられた複数の消去用光源１６４を介してこの蓄積性蛍光体シート２２に残存する放射線画像情報の消去が行われる。消去処理後の蓄積性蛍光体シート２２は、搬送系１３６に合流して上方に搬送された後、昇降枚葉部６６の作用下にカセッテ装填部２０ａに配置されている空のカセッテ１８内に送り込まれる。
【００４６】
図１０は、本発明の第２の実施形態に係る容器の誤挿入防止構造１７０の概略側面説明図である。なお、第１の実施形態に係る誤挿入防止構造１０と同一の構成要素には同一の参照符号を付して、その詳細な説明は省略する。
【００４７】
この誤挿入防止構造１７０では、連結板６０の端部にベアリング１７２を介してコマ部材（カム部材）１７４が回転自在に支持されている。そして、カセッテ１８がカセッテ挿入基準位置に沿って挿入されると、このカセッテ１８がコマ部材１７４に当接し、このコマ部材１７４を支持台３０の下方に揺動させる（図１０中、二点鎖線参照）。その際、コマ部材１７４は、ベアリング１７２を介して回転自在であり、前記コマ部材１７４あるいはカセッテ１８が摺動によって摩耗することを有効に阻止する。
【００４８】
図１１は、本発明の第３の実施形態に係る容器の誤挿入防止構造１８０の概略側面説明図である。なお、第１の実施形態に係る誤挿入防止構造１０と同一の構成要素には同一の参照符号を付して、その詳細な説明は省略する。
【００４９】
この誤挿入防止構造１８０は、カム部材６２に代替して、略矩形状のカム部材１８２を備えている。カム部材１８２は、カセッテ１８の挿入方向に向かって上方に傾斜する傾斜面１８４を設けており、前記カセッテ１８が前記カム部材１８２に当接する際、前記傾斜面１８４の案内作用下に該カム部材１８２を円滑かつ確実に支持台３０の裏面側に揺動させることができる。
【００５０】
【発明の効果】
本発明に係る容器の誤挿入防止構造では、容器が容器挿入基準位置側に沿って進入する際にのみ、解除手段の作用下にストッパ手段が前記容器の進入軌跡外に退避し、該容器を装填部の所望のセット位置に配置する。このため、容器が容器挿入基準位置から離間した位置、あるいは、傾斜した姿勢のまま、装填部に挿入されると、容器先端部位置決め位置よりも上流側に配置されているストッパ手段に前記容器が当接支持される。従って、容器の装填作業が、円滑かつ確実に遂行されることになる。しかも、ストッパ手段および解除手段の構成が簡素化するとともに、容器の進入状態に応じてストッパ手段を確実に駆動することができる。
【００５１】
また、本発明に係る容器処理装置では、容器が誤挿入されて内部機構に干渉し、例えば、枚葉部に損傷を与えたり、前記容器内からシート体を取り出すことができない等の不具合がない。これにより、容器を確実に装填することができ、シート体に所望の処理を効率的に遂行することが可能になる。
【図面の簡単な説明】
【図１】本発明の第１の実施形態に係る容器の誤挿入防止構造を組み込む画像情報読取装置の概略構成説明図である。
【図２】前記誤挿入防止構造の平面説明図である。
【図３】前記誤挿入防止構造の概略斜視説明図である。
【図４】前記画像情報読取装置を構成する昇降枚葉部の概略斜視説明図である。
【図５】前記昇降枚葉部の側面説明図である。
【図６】カセッテ装填部にカセッテが正確に挿入される際の平面説明図である。
【図７】図６のカセッテ装填部の側面説明図である。
【図８】前記カセッテ装填部に前記カセッテが誤挿入される際の平面説明図である。
【図９】図８のカセッテ装填部の側面説明図である。
【図１０】本発明の第２の実施形態に係る容器の誤挿入防止構造の概略側面説明図である。
【図１１】本発明の第３の実施形態に係る容器の誤挿入防止構造の概略側面説明図である。
【符号の説明】
１０、１７０、１８０…誤挿入防止構造
１２…画像情報読取装置            １８…カセッテ
２０ａ〜２０ｄ…カセッテ装填部    ２２…蓄積性蛍光体シート
３０…支持台                      ３４…カセッテロック解除機構
３６…カセッテ挿入基準位置        ４４…位置決め部
４６…ストッパ手段                ４８…解除手段
５２…揺動部材                    ５４ａ〜５４ｃ…係止爪部
５８…ばね                        ６０…連結板
６２、１８２…カム部材            ６６…昇降枚葉部
６８…シート体枚葉機構            ７０…昇降機構
１７２…ベアリング                １７４…コマ部材
１８４…傾斜面
【図１】
0004015777.tif 000002
【図２】
0004015777.tif 000003
【図３】
0004015777.tif 000004
【図４】
0004015777.tif 000005
【図５】
0004015777.tif 000006
【図６】
0004015777.tif 000007
【図７】
0004015777.tif 000008
【図８】
0004015777.tif 000009
【図９】
0004015777.tif 000010
【図１０】
0004015777.tif 000011
【図１１】
0004015777.tif 000012